(57)【特許請求の範囲】
【請求項１】
複数の時間軸情報上で、プロジェクトにおいて実行される行為に関する行為情報を管理するための、プロジェクト管理情報を生成するプロジェクト管理情報生成装置において、
時間軸情報ごとの、表示時間幅のスケール情報および、時間軸情報上の複数位置に所定の時間幅サイクルを単位として前記行為情報を表示させるためのサイクル情報を含む設定情報を格納する情報格納手段と、
前記情報格納手段に格納された中から取得された時間軸情報を、該当するスケール情報の表示時間幅で表示させる時間軸表示手段と、
前記表示された時間軸情報上で前記行為情報の実行時点を示すクリック操作が実行されると、前記時間軸情報上の該当する位置に、当該行為の実行により当該時点における観察を含む行動の結果の数値またはレベルを示す高さを有するマーク、当該行為の実行により該当する予め固定された期間に得られる前記数値またはレベルを示す高さを有するマーク、当該行為の実行に該当する時間を示す幅を有するマーク、または、当該行為の実行により得られる単位時間あたりの前記数値またはレベルを示す高さを有するとともに当該行為の実行に該当する時間を示す幅を有するマークを、前記サイクル情報に基づいて当該行為情報として表示させる表示画面情報を生成するプロジェクト管理情報生成手段と、
を備えることを特徴とするプロジェクト管理情報生成装置。
【請求項２】
前記情報格納手段には、前記行為情報に関する、最大値、最小値、平均値、上限値、下限値、標準誤差値、標準偏差値、パーセンタイル値の少なくともいずれかを、基準値として格納し、
前記プロジェクト管理情報生成手段では、
当該行為の実行により当該時点における観察を含む行動の結果の数値またはレベルを示す高さを有するマーク、当該行為の実行により該当する予め固定された期間に得られる前記数値またはレベルを示す高さを有するマーク、または、当該行為の実行により得られる単位時間あたりの前記数値またはレベルを示す高さを有するとともに当該行為の実行に該当する時間を示す幅を有するマークを用いて前記表示画面情報を生成する際に、前記時間軸情報上に、前記格納された基準値の少なくともいずれかを重ねて表示するように前記表示画面情報を生成する
ことを特徴とする請求項１に記載のプロジェクト管理情報生成装置。
【請求項３】
前記情報格納手段には、前記行為情報ごとの、他の行為情報と相互に関連するための適用時間情報を含むリンケージ情報をさらに格納し、
前記プロジェクト管理情報生成手段では、前記時間軸情報上で前記行為情報の実行時点を示すクリック操作が実行されると、当該行為情報のリンケージ情報に基づいて、既に表示されているマークの行為情報との関係を確認し、確認した情報に基づいて前記表示画面情報を更新する
ことを特徴とする請求項１または２に記載のプロジェクト管理情報生成装置。
【請求項４】
複数の時間軸情報上で、プロジェクトにおいて実行される行為に関する行為情報を管理するための、プロジェクト管理情報を生成するプロジェクト管理情報生成装置に、
時間軸情報ごとの、表示時間幅のスケール情報および、時間軸情報上の複数位置に所定の時間幅サイクルを単位として前記行為情報を表示させるためのサイクル情報を含む設定情報を格納する情報格納機能と、
前記情報格納機能により格納された中から取得された時間軸情報を、該当するスケール情報の表示時間幅で表示させる時間軸表示機能と、
前記表示された時間軸情報上で前記行為情報の実行時点を示すクリック操作が実行されると、前記時間軸情報上の該当する位置に、当該行為の実行により当該時点における観察を含む行動の結果の数値またはレベルを示す高さを有するマーク、当該行為の実行により該当する予め固定された期間に得られる前記数値またはレベルを示す高さを有するマーク、当該行為の実行に該当する時間を示す幅を有するマーク、または、当該行為の実行により得られる単位時間あたりの前記数値またはレベルを示す高さを有するとともに当該行為の実行に該当する時間を示す幅を有するマークを、前記サイクル情報に基づいて当該行為情報として表示させる表示画面情報を生成するプロジェクト管理情報生成機能と、
を実行させるプロジェクト管理情報生成プログラム。
【請求項５】
前記情報格納機能では、前記行為情報に関する、最大値、最小値、平均値、上限値、下限値、標準誤差値、標準偏差値、パーセンタイル値の少なくともいずれかを、基準値として格納し、
前記プロジェクト管理情報生成機能では、当該行為の実行により当該時点における観察を含む行動の結果の数値またはレベルを示す高さを有するマーク、当該行為の実行により該当する予め固定された期間に得られる前記数値またはレベルを示す高さを有するマーク、または、当該行為の実行により得られる単位時間あたりの前記数値またはレベルを示す高さを有するとともに当該行為の実行に該当する時間を示す幅を有するマークを用いて前記表示画面情報を生成する際に、前記時間軸情報上に、前記格納された基準値の少なくともいずれかを重ねて表示するように前記表示画面情報を生成する
ことを特徴とする請求項４に記載のプロジェクト管理情報生成プログラム。
【請求項６】
前記情報格納機能では、前記行為情報ごとの、他の行為情報と相互に関連するための適用時間情報を含むリンケージ情報をさらに格納し、
前記プロジェクト管理情報生成機能では、前記時間軸情報上で前記行為情報の実行時点を示すクリック操作が実行されると、当該行為情報のリンケージ情報に基づいて、既に表示されているマークの行為情報との関係を確認し、確認した情報に基づいて前記表示画面情報を更新する
ことを特徴とする請求項４または５に記載のプロジェクト管理情報生成プログラム。
【請求項７】
複数の時間軸情報上で、医療行為ごとに設定された情報である医療行為情報を管理するための、電子カルテ情報を生成する電子カルテ情報生成装置において、
時間軸情報ごとの、表示時間幅のスケール情報および、時間軸情報上の複数位置に所定の時間幅サイクルを単位として前記医療行為情報を表示させるためのサイクル情報を含む設定情報を格納する情報格納手段と、
前記情報格納手段に格納された中から取得された時間軸情報を、該当するスケール情報の表示時間幅で表示させる時間軸表示手段と、
前記表示された時間軸情報上で前記医療行為情報の実行時点を示すクリック操作が実行されると、前記時間軸情報上の該当する位置に、当該行為の実行により当該時点における観察を含む行動の結果の数値またはレベルを示す高さを有するマーク、当該行為の実行により該当する予め固定された期間に得られる前記数値またはレベルを示す高さを有するマーク、当該行為の実行に該当する時間を示す幅を有するマーク、または、当該行為の実行により得られる単位時間あたりの前記数値またはレベルを示す高さを有するとともに当該行為の実行に該当する時間を示す幅を有するマークを、前記サイクル情報に基づいて当該行為情報として表示させる表示画面情報を生成する電子カルテ情報生成手段と、
を備えることを特徴とする電子カルテ情報生成装置。
【発明の詳細な説明】
【技術分野】
【０００１】
本発明は、様々な分野のプロジェクト管理に用いるプロジェクト管理情報を生成するためのプロジェクト管理情報生成装置、プロジェクト管理情報生成プログラム、および電子カルテ情報生成装置に関する。
【背景技術】
【０００２】
従来、様々な分野でプロジェクト管理を行うためのアプリケーションが開発され、利用されている。
【０００３】
その中で、医療現場においては患者の治療計画を電子カルテで管理することが行われている。
【０００４】
この電子カルテを採用することにより、紙のカルテを利用するときに比べてデータの保存スペースを縮小できるとともに、紙のカルテをめくる等の作業をせずに表示画面上で所望の患者に関する過去の情報を迅速に閲覧できるようになる。
【０００５】
患者の情報を迅速に閲覧するため、特許文献１に示すようにクリニカルパスと呼ばれる医療情報をスケジュール表にまとめたツールを利用することにより、治療の経過および計画を閲覧しやすくすることが可能になる。
【０００６】
また、特許文献２または特許文献３に記載の技術を用いることにより、患者についての各種情報のスケジュールが一目で理解でき、さらに治療に関わる医療スタッフと情報を共有して、各医療スタッフがデータの入力などを行うことができ、これらを基に治療計画を適宜変更したりすることができる。
【特許文献１】特開２００３−１０８６６１号
【特許文献２】特許２７０６６４５号
【特許文献３】特許２８１５３４６号
【発明の開示】
【発明が解決しようとする課題】
【０００７】
しかし、これらの特許文献１〜３の技術を利用した電子カルテでは、時間軸に沿ってスケジュールをテキスト入力するのみであり、検査による測定値、薬の投与量の変化、治療期間などの診療内容に関わる数量および時間幅等を視覚的に捉えることはできなかった。
【０００８】
よって本発明の目的は、プロジェクト管理を行うために入力されるプロジェクト管理情報の内容を、視覚的に容易に捉えることができるように表示情報を生成することができるプロジェクト管理情報生成装置、プロジェクト管理情報生成プログラム、および電子カルテ情報生成装置を提供することである。
【課題を解決するための手段】
【０００９】
上記目的を達成するための本発明のプロジェクト管理情報生成装置は、複数の時間軸情報上で、プロジェクトにおいて実行される行為に関する行為情報を管理するための、プロジェクト管理情報を生成するプロジェクト管理情報生成装置において、時間軸情報ごとの、表示時間幅のスケール情報および、時間軸情報上の複数位置に所定の時間幅サイクルを単位として前記行為情報を表示させるためのサイクル情報を含む設定情報を格納する情報格納手段と、前記情報格納手段に格納された中から取得された時間軸情報を、該当するスケール情報の表示時間幅で表示させる時間軸表示手段と、前記表示された時間軸情報上で前記行為情報の実行時点を示すクリック操作が実行されると、前記時間軸情報上の該当する位置に、当該行為の実行により当該時点における観察を含む行動の結果の数値またはレベルを示す高さを有するマーク、当該行為の実行により該当する予め固定された期間に得られる前記数値またはレベルを示す高さを有するマーク、当該行為の実行に該当する時間を示す幅を有するマーク、または、当該行為の実行により得られる単位時間あたりの前記数値またはレベルを示す高さを有するとともに当該行為の実行に該当する時間を示す幅を有するマークを、前記サイクル情報に基づいて当該行為情報として表示させる表示画面情報を生成するプロジェクト管理情報生成手段とを備えることを特徴とする。
【００１１】
また、本発明のプロジェクト管理情報生成プログラムは、複数の時間軸情報上で、プロジェクトにおいて実行される行為に関する行為情報を管理するための、プロジェクト管理情報を生成するプロジェクト管理情報生成装置に、時間軸情報ごとの、表示時間幅のスケール情報および、時間軸情報上の複数位置に所定の時間幅サイクルを単位として前記行為情報を表示させるためのサイクル情報を含む設定情報を格納する情報格納機能と、前記情報格納機能により格納された中から取得された時間軸情報を、該当するスケール情報の表示時間幅で表示させる時間軸表示機能と、前記表示された時間軸情報上で前記行為情報の実行時点を示すクリック操作が実行されると、前記時間軸情報上の該当する位置に、当該行為の実行により当該時点における観察を含む行動の結果の数値またはレベルを示す高さを有するマーク、当該行為の実行により該当する予め固定された期間に得られる前記数値またはレベルを示す高さを有するマーク、当該行為の実行に該当する時間を示す幅を有するマーク、または、当該行為の実行により得られる単位時間あたりの前記数値またはレベルを示す高さを有するとともに当該行為の実行に該当する時間を示す幅を有するマークを、前記サイクル情報に基づいて当該行為情報として表示させる表示画面情報を生成するプロジェクト管理情報生成機能とを実行させることを特徴とする。
【００１２】
また、本発明の電子カルテ情報生成装置は、複数の時間軸情報上で、医療行為ごとに設定された情報である医療行為情報を管理するための、電子カルテ情報を生成する電子カルテ情報生成装置において、時間軸情報ごとの、表示時間幅のスケール情報および、時間軸情報上の複数位置に所定の時間幅サイクルを単位として前記医療行為情報を表示させるためのサイクル情報を含む設定情報を格納する情報格納手段と、前記情報格納手段に格納された中から取得された時間軸情報を、該当するスケール情報の表示時間幅で表示させる時間軸表示手段と、前記表示された時間軸情報上で前記医療行為情報の実行時点を示すクリック操作が実行されると、前記時間軸情報上の該当する位置に、当該行為の実行により当該時点における観察を含む行動の結果の数値またはレベルを示す高さを有するマーク、当該行為の実行により該当する予め固定された期間に得られる前記数値またはレベルを示す高さを有するマーク、当該行為の実行に該当する時間を示す幅を有するマーク、または、当該行為の実行により得られる単位時間あたりの前記数値またはレベルを示す高さを有するとともに当該行為の実行に該当する時間を示す幅を有するマークを、前記サイクル情報に基づいて当該行為情報として表示させる表示画面情報を生成する電子カルテ情報生成手段とを備えることを特徴とする。
【発明の効果】
【００１３】
よって本発明のプロジェクト管理情報生成装置、プロジェクト管理情報生成プログラム、および電子カルテ情報生成装置によれば、プロジェクト管理を行うために入力されるプロジェクト管理情報の内容を、視覚的に容易に捉えることができるように表示情報を生成することができる。
【発明を実施するための最良の形態】
【００１４】
〈基本概念〉
本発明の一実施形態による電子カルテ情報生成装置としての電子カルテ情報表示装置を利用する電子カルテ管理システムにおいては、様々な種類の医療行為を個々に「アクト」として定義し管理している。
【００１５】
そして、これらの個々のアクトはその行為の核心となる情報（Core of Act、以下「ＣＯＡ」とする。）を有する。このＣＯＡの中にはそれぞれ時間軸を基にして定義された他の行為との関係等が格納されている。
【００１６】
アクトの種類としては、「観察」、「処方」、「注射」、「給食」等があり、これらには例えば「注射」を行ってから所定の時間経過後に「観察」しなければならない等の時間軸に基づく他の医療行為と関係する情報が個々にある。
【００１７】
医療行為以外の情報、例えば「症状」の情報なども、「観察」というアクトに基づいて発生するＣＯＡであり、これらの情報（症状）は「観察」のＣＯＡとして保持される。つまり、すべての情報は何らかの医療行為（アクト）のＣＯＡとして保持される。
【００１８】
〈一実施形態としての電子カルテ管理システムの構成〉
本実施形態における電子カルテ管理システム１の構成について、図１を参照して説明する。
【００１９】
本実施形態における電子カルテ管理システム１は、プロジェクト管理センター装置としての電子カルテ管理センター装置１０と複数の電子カルテ情報表示装置２０とが、ネットワーク３０を介して接続されることにより構成されている。
【００２０】
〔電子カルテ管理センター装置１０〕
電子カルテ管理センター装置１０は、行為情報記憶手段としてのＣＯＡ情報記憶装置１１と、プロジェクト記録手段としての電子カルテ記録装置１２と、外部の電子カルテ情報表示装置２０とネットワーク３０を介して通信を行う通信部１３および通信部１４と、ＣＯＡ情報記憶装置１１からデータを取得する処理部１５と、電子カルテ記録装置１２からデータを取得する処理および電子カルテ記録装置１２に記録する処理を行う処理部１６とを有する。
【００２１】
ＣＯＡ情報記憶装置１１は、予め入力された種々のアクトに関するＣＯＡが格納されている。
【００２２】
電子カルテ記録装置１２は、ＣＯＡを使用して電子カルテとして生成されたデータを記録する。
【００２３】
処理部１５は、ＣＯＡ情報記憶装置１１からデータを読み出して通信部１４を介して電子カルテ情報表示装置２０に出力する。
【００２４】
処理部１６は、電子カルテ記録装置１２からデータを読み出して通信部１４を介して電子カルテ情報表示装置２０に出力する。また、通信部１４を介して電子カルテ情報表示装置２０から取得した電子カルテデータを電子カルテ記録装置１２に記録させる。
【００２５】
−ＣＯＡの構成−
ＣＯＡ情報記憶装置１１に格納されている各ＣＯＡを構成する情報について、図２を参照して説明する。
【００２６】
各ＣＯＡは、（１）アクト情報層１００と、（２）アクト動作層２００と、（３）出力層３００と、（４）管理層４００とを有する。
【００２７】
（１）アクト情報層１００
アクト情報層１００は、自己のアクトに関する情報である自行為情報としての（i）自己アクト情報１１０と、他のＣＯＡとリンクするための情報であるリンケージ情報としての（ii）リンケージアクト情報１２０とを有する。
【００２８】
（i）自己アクト情報１１０
自己アクト情報１１０はさらに、自行為特性情報としての自己アクト特性１１１と自行為論理情報としての自己アクト論理１１２とを有し、自己アクト特性１１１には、自己のアクトの名称１１１ａ（正式名称、別称、仮名称など）、分類１１１ｂ（大分類、中分類、小分類など）、関連ＩＤ１１１ｃ（名称１１１ａに対応し他のＣＯＡとリンクするための識別ＩＤ）、知識１１１ｄ（自己のアクトに関する量、速度、単位、科学知識やノウハウなど）が格納されている。
【００２９】
分類１１１ｂの例としては、大分類として「動作アクト」、「論理上アクト」があり、「動作アクト」の中分類として「観察アクト」、「介入アクト」がある。また、「観察アクト」の小分類として「病歴」、「症状」、「所見」などがあり、「介入アクト」の小分類として「検体検査」、「画像検査」、「生理検査」、「処方」、「注射」、「処置」、「入退院」、「給食」などがある。また、「論理上アクト」の小分類として、「検査結果の組み合わせによるデータ生成」、「処方箋；物伝票の生成」などがある。
【００３０】
自己アクト論理１１２には、自己のアクトを実行する際の量の算出方法、投与量の適正範囲、症状の評価方法、単位の換算、表示方法などの情報が格納されている。
【００３１】
（ii）リンケージアクト情報１２０
リンケージアクト情報１２０は、リンケージアクト特性１２１とリンケージアクト論理１２２とを有し、リンケージアクト特性１２１には、他のＣＯＡとリンクされることにより適用する従属的・排他的行為を含む相互に関連する行為の内容、適用時間、適用範囲などの情報が時間軸情報に基づいて格納され、リンケージアクト論理１２２には、リンケージアクト特性１２１の情報に基づいて他のＣＯＡとリンクする際の論理和、論理積等による条件式、論理フローなどが格納されている。
【００３２】
（２）アクト動作層２００
アクト動作層２００には、自己アクト論理１１２およびリンケージアクト論理１２２に基づいて処理を実行する際の動作間の論理制御情報、例えば実行順序や条件式などが格納されている。
【００３３】
（３）出力層３００
出力層３００には、自己のＣＯＡの動作に関する状態３００ａ（想定、計画、実施決定、準備、実施、結果など）、評価３００ｂ（成功、失敗など）、成果３００ｃ（観察結果、実施結果、図形化、伝票・処方箋生成など）、他のＣＯＡに対する介入３００ｄなどの情報が格納されている。
【００３４】
（４）管理層４００
管理層４００には、各ＣＯＡを管理するための管理ＩＤ群４００ａと、管理名称４００ｂと、各ＣＯＡを著作物とする著作権４００ｃと、著作日時、更新日時などの版情報４００ｄとが格納されている。
【００３５】
各ＣＯＡの時間軸上における情報の適用範囲を図３に示す。ＣＯＡはそれぞれ複数のリンケージアクト情報１２０を有することが可能であり、図３のＣＯＡにおいてはリンケージアクト情報１２０−１〜１２０−３の３つのリンケージアクトを有する。
【００３６】
図３において、リンケージアクト情報１２０−１は自己アクト情報１１０による医療行為実行後所定時間経過後から適用される情報であり、リンケージアクト情報１２０−２は自己アクト情報１１０による医療行為実行と同時に適用される情報であり、リンケージアクト情報１２０−３は自己アクト情報１１０による医療行為終了時から適用される情報である。
【００３７】
〔電子カルテ情報表示装置２０〕
電子カルテ情報表示装置２０は医師が利用するものであり、利用者が操作する入力装置２１と、電子カルテ管理システムを利用するためのアプリケーションを格納する記憶装置２２と、電子カルテの作成、更新等の処理を行う処理部２３と、ネットワークを介して電子カルテ管理センター装置１０との通信を行う通信部２４と、操作中の情報を表示する表示装置２５と、一時的に情報を格納する仮記憶装置２６とを有する。
【００３８】
入力装置２１は、例えばマウスやキーボードなどである。
【００３９】
記憶装置２２は、例えばＲＯＭで構成される。
【００４０】
処理部２３は、電子カルテ管理センター装置１０のＣＯＡ情報記憶装置１１または電子カルテ記録装置１２に記録されている情報を通信部２４を介して取得するとともに、入力装置２１からの操作指示を取得し、関係するＣＯＡの検出、処方量算出などの演算処理を行うとともに、表示装置２５に表示させる情報を編集する。
【００４１】
表示装置２５は、例えば記憶装置２２、処理部２３、通信部２４、および仮記憶装置２６の機能を内蔵したパーソナルコンピュータに接続されたモニタなどである。
【００４２】
仮記憶装置２６は、電子カルテ管理センター装置１０から取得した情報および処理部２３で処理した情報を一時的に記憶し、ネットワークが使用できない環境でも限定的な範囲において電子カルテの利用を可能にするものである。
【００４３】
〈一実施形態としての電子カルテ管理システムの動作〉
以下に、具体例を用いて一実施形態としての電子カルテ管理システム１の動作を図４を参照して詳細に説明する。
【００４４】
まず、利用者である医師により電子カルテ情報表示装置２０が起動されると、処理部２３において記憶装置２２に格納されている電子カルテ管理システムのアプリケーションが取得され起動される（Ｓ１）。
【００４５】
次に、医師の操作により入力装置２１から処理部２３に電子カルテの作成指示が入力されると、処理部２３の指示により表示装置２５に電子カルテの作成画面が表示される（Ｓ２）。
【００４６】
この電子カルテ作成画面において、まず治療計画を立てる患者に関する個人情報が入力装置２１から入力され、処理部２３の指示により表示装置２５の電子カルテの作成画面が更新される（Ｓ３）。
【００４７】
次に、この患者に対する治療計画、診療経過等の治療情報が入力装置２１から入力され、処理部２３の指示により表示装置２５の電子カルテの作成画面がさらに更新される。
【００４８】
電子カルテの作成画面における治療情報の入力は、まず治療情報を入力するための時間軸を管理するタイトルＣＯＡが取得されて展開、表示され、実行される行為（または実行された行為の結果）の情報を表示するための行為ＣＯＡがさらに取得されてこの時間軸上に展開、表示されることにより行われる（Ｓ４、Ｓ５）。
【００４９】
各タイトルＣＯＡには、行為ＣＯＡの表示を制御するための情報、例えば時間軸のスケール等の情報等が格納されている。
【００５０】
また、各行為ＣＯＡには、表示するときに用いられる下記の（０）〜（４）のいずれかのモードの情報が予め格納されており、この情報に従って処理部２３の指示により時間軸上に表示が展開される。
【００５１】
行為ＣＯＡが表示されるときのモードについて説明する。
【００５２】
（０）シンボリックモード
シンボリックモードは、ある時点における観察を含む行動の結果など状態を示す行為ＣＯＡを、図５に示すように時間軸上の位置を示すシンボル５１とテキストＡ’、Ａ、またはＢにより表示するモードである。
【００５３】
このモードでは、表示されるシンボル５１は時間軸上の位置を示すのみであり、テキストＡ’、Ａ、またはＢはＣＯＡの内容である状態の分類やステータスを示す。このテキストＡ’Ａ，またはＢは、数値で表現することのできない内容は文字で表示され、数値で表示したほうがわかりやすい内容は数値で表示される。また、図や写真などの画像で表示したほうがわかりやすい場合には、これらを用いて表示してもよい。
【００５４】
またこのシンボリックモードにおいて、図６に示すようにテキスト表示を行わず、行為ＣＯＡが存在する時間軸上の位置をシンボル（ＣＯＡの内容に関係なく設定された高さのマーク）で示すことで、行為ＣＯＡの存在の有無のみを表示させるようにしてもよい。
【００５５】
シンボリックモードはその性質上、以下の（１）〜（３）に示す他のモードと共存可能であり、特に数値やステータスをテキストで表示する場合などは、図５のＣのような他のモードのＣＯＡ５２とともに表示することが可能である。
【００５６】
（１）バリューモード
バリューモードは、ある時点における観察を含む行動の結果などの数値、レベルを、図７に示すように時間軸上の該当する位置にＣＯＡ６１で構成される（ａ）棒グラフまたはＣＯＡ６２で構成される（ｂ）折れ線グラフなどでマークすることにより、高さで表すモードである。
【００５７】
このモードでは、表示される各ＣＯＡ６１、６２は時間幅としての意味は持たず、該当する時点にける量（数値、レベル）を示す高さのみに意味を持つ。
【００５８】
図７においては、観察された結果「０」（ゼロ）であった時点の時間軸上にはゼロ値マーク６３が表示され、観察が行われていない無観察状態の時点と区別されている。
【００５９】
（２）ステータスモード
ステータスモードは、ある時点における処置、画像検査の実施、診断名などを示すＣＯＡを、図８（ａ）に示すように時間軸上の該当する位置に矩形マークにより該当する時間幅で表すモードである。
【００６０】
このモードでは、表示される各ＣＯＡ７１の高さには意味を持たず有無のみを示すものであり、該当する時間軸上の期間を示す時間幅のみに意味を持ち、時間軸方向に表示されたＣＯＡを延長、短縮することにより期間を操作することができる。
【００６１】
図８においては、観察された結果「０」（ゼロ）であった期間の時間軸上には（ｂ）に示すように不在状態を示す点線の下線７２が表示され、観察が行われておらず何も表示されない無観察状態（ｃ）と区別されている。
【００６２】
（３）積分モード
積分モードは、内服薬の内服量などの数値、レベルを示すＣＯＡ８１を、予め固定された期間である時間幅サイクルを基本単位として図９（ａ）〜（ｃ）に示すように時間軸上の該当する位置に矩形マーク等により表すモードである。
【００６３】
このモードでは、表示される各ＣＯＡ８１は時間幅が固定されているため分割された時間幅よりも短い時間幅には意味を持たず、固定された時間幅における量（総投薬量等）を示す高さのみが変動する。表示上は、棒グラフであっても折れ線グラフであってもよいが、予め固定された期間がそれぞれのＣＯＡについて示し得るように表示されればよい。
【００６４】
図９においては、固定された時間幅サイクルが（ａ）は日単位、（ｂ）は２日単位、（ｃ）は３日単位の場合の例を示している。
【００６５】
（４）微分モード
微分モードは、点滴を始めとして時間幅のある注射薬投与、麻酔ガス投与、酸素吸入などの投与時間幅、投与速度を、図１０（ａ）〜（ｄ）に示すように時間軸上の該当する位置に矩形マークにより表すモードである。
【００６６】
このモードでは、表示される各ＣＯＡ９１〜９４の幅は投与時間を示し、高さは投与速度（単位時間あたり投与量）のを示す。
【００６７】
この微分モードにおいて、予め総投与量が決まっている場合にはＣＯＡの面積が（投与時間幅 x 投与速度）に等しく、その値が固定され、例えば総投与量が決まっている（ａ）のＣＯＡ９１の速度を遅くする場合には高さを低くするように操作することにより、（ｂ）のＣＯＡ９２に示すように時間幅が自動的に延長される。
【００６８】
また、この微分モードにおいて、予め総投与量が決まっておらず、無限のリソースから投与される場合にはＣＯＡの面積は固定されず、例えば総投与量が決まっていない（ａ）のＣＯＡ９１の時間を延長する場合には幅を延ばすように操作することにより、（ｃ）のＣＯＡ９３に示すように速度は変化せずに時間幅のみが延長される。また、総投与量が決まっていない（ａ）のＣＯＡ９１の速度を遅くする場合には高さを低くするように操作することにより、（ｄ）のＣＯＡ９４に示すように時間幅は変化せずに速度を示す高さのみが低くなる。
【００６９】
前述したタイトルＣＯＡには、これらのモードのうち、高さに意味を持つ（１）バリューモード、または（３）積分モードにおいて表示可能な、当該行為に関する最大値、最小値、平均値、上限値、下限値、ＳＥ値（標準誤差）、ＳＤ値（標準偏差）、パーセンタイル等を基準値として表示させるための情報も格納されており、この基準値を行為ＣＯＡに重ねて折れ線グラフ等で表示させることで、観察結果や投与薬剤量等の数値が正常であるか異常であるかが一目で理解できるようにすることができる。
【００７０】
タイトルＣＯＡにおいて基準値の情報は、テーブル構造または計算式により格納されている。テーブル構造の場合は暦、回数、年齢毎等に予め設定された基準値が表形式で格納され、計算式の場合は、基準値を算出するための計算式が予め格納され、この計算式により算出された暦、回数、年齢毎等の計算結果が基準値として格納される。
【００７１】
基準値の表示について、図１１〜１４を参照して説明する。
【００７２】
図１１（ａ）はバリューモードまたは積分モードにより表示された行為ＣＯＡのグラフであり、（ｂ）は（ａ）の行為ＣＯＡが表示されている時間軸を管理しているタイトルＣＯＡに格納されている上限値のグラフであり、（ｃ）は（ａ）の行為ＣＯＡが表示されている時間軸を管理しているタイトルＣＯＡに格納されている平均値のグラフであり、（ｄ）は（ａ）の行為ＣＯＡが表示されている時間軸を管理しているタイトルＣＯＡに格納されている下限値のグラフである。
【００７３】
このように、各タイトルＣＯＡは、複数の基準値をセットで持つことが可能であり、これらを重ねて表示させることもできる。
【００７４】
図１２（ａ）は、図１１（ａ）〜（ｄ）が重ねられて表示された状態を示す図であり、図１２（ｂ）は、さらにこれが縦方向に拡大されて表示された状態を示す図である。
【００７５】
また、各タイトルＣＯＡは複数の基準値を重ねて表示させたとき、例えば図１２のように上限値と下限値とを重ねて折れ線グラフで表示させたときに、この上限値の折れ線グラフで示される線と下限値の折れ線グラフで示される線との間の範囲を正常値の範囲等として強調するための情報、例えば、色や模様などを表示させるための情報を有していてもよい。このように２つの基準範囲の間の範囲が強調されることにより、入力される行為ＣＯＡの値が正常値の範囲にあるか、正常値の範囲からはずれた異常値であるかをユーザは一目で判断することができる。
【００７６】
さらに各タイトルＣＯＡは、行為ＣＯＡが基準値とともに表示される際の表示条件として、この基準値との関係を色・形、あるいは文字によって表現するための情報を有していてもよい。例えば、上述した正常値の範囲を超えた値の行為ＣＯＡは赤色で表示させたり、点滅させたり、注意を喚起するテキスト文字を表示させたりすることで、ユーザが認識しやすいようにすることができる。
【００７７】
また、時間軸に展開された行為ＣＯＡは、他のタイトルＣＯＡが管理する時間軸上に重ねて表示させることも可能である。
【００７８】
図１３（ａ）〜（ｄ）は、それぞれ異なったタイトルＣＯＡにより表示された時間軸上の行為ＣＯＡ(1)〜(4)を示すグラフである。
【００７９】
このように、それぞれ異なるタイトルＣＯＡにより表示された複数の行為ＣＯＡを示すグラフは、重ねて表示させることもできる。
【００８０】
図１４は（ａ）は、図１３（ａ）〜（ｄ）が重ねられて表示された状態を示す図であり、図１４（ｂ）はさらにこれらが縦方向に拡大されて表示された状態を示す図である。
【００８１】
このように異なる複数の行為ＣＯＡを重ねて表示されることにより、最高血圧の変化と最低血圧の変化とを同時に表示させたりすることが可能であり、ユーザは行為ＣＯＡどうしを容易に視覚で比較できるとともに、表示画面のスペースを有効に使用することができる。
【００８２】
上記のモード（０）〜（４）は、該当するタイトルＣＯＡの表示を右クリックすることで表示させるモード選択メニューまたは別画面として表示させるモード選択用のパレットから所望のモードを選択することにより、設定および変更させることが可能である。
【００８３】
さらに各タイトルＣＯＡは、上記のモード（０）〜（４）に関する情報の他にも、行為ＣＯＡの属性情報として、例えば、行為ＣＯＡのステータス（計画、指示、指示受け、実施等を区別する）を指定する情報、時間軸上において範囲指定操作を行ったときの動作として、開始時点および終了時点を時間情報を示すタイムスケールの直近の枠に合わせるか否かを示す情報、時間軸上においてクリックされたときの動作として、該当位置にのみ行為ＣＯＡを展開するかまたは予め設定されたサイクルで複数位置に展開するかを示す情報、この複数位置に展開するときの開始終了時間、一日の中でのサイクル（例えば朝、昼、夜、指定時間等）や一日を超えた単位のサイクル（連日、隔日、毎月曜日）等の情報や個数・回数の情報等を有していてもよい。
【００８４】
これらの属性情報は、マウス等の操作で該当するタイトルＣＯＡ上にカーソルをのせたときに、図１５に示すようにＴＩＰ表示される。図１５においては、タイトル名「ＡＡ薬」のタイトルＣＯＡの属性情報として、ステータスが「指示」に指定され、範囲指定時には開始時点および終了時点をタイムスケールの直近の枠に合わせることが指定され、クリック時には該当する時間に１ＣＯＡのみを作成することが指定され、これらの情報がＴＩＰ表示されている状態を示す。
【００８５】
タイトルＣＯＡが属性情報を有している状態で、当該タイトルＣＯＡに対応する時間軸上に行為ＣＯＡを入力するために図１６（ａ）の点線で示すように範囲が選択されると、記憶されている属性情報に従って、例えば開始時点および終了時点がタイムスケールの枠に合わされて、図１６（ｂ）に示すように行為ＣＯＡが入力される。また、図１７（ａ）の矢印で示す位置がクリックされると、記憶されている属性情報に従って、例えば１６（ｂ）に示すように当該位置に１ＣＯＡのみが入力される。また、このとき図１８（ａ）に点線で示すように複数のタイトルＣＯＡに対応する時間軸上の範囲が選択されると、各時間軸に対応するタイトルＣＯＡにそれぞれ記憶されている属性情報に従って、図１８（ｂ）に示すように行為ＣＯＡが入力される。
【００８６】
またこれらの属性情報は、別画面上に表示させて操作したり、処方ごとに予め設定された属性内容を属性ＣＯＡとして格納したパレット画面から新たな属性ＣＯＡを選択したりすることにより、内容を変更することが可能である。
【００８７】
また、行為ＣＯＡを時間軸上に入力する際、入力操作された行為ＣＯＡがすべて現在時刻の位置に入力される現在時刻吸着モードを利用することも可能である。この現在時刻吸着モードは、時間情報を表示するタイムスケールで示される現在時刻上にカーソルをオンマウスして現在時刻軸ラインを画面上に表示させることで設定され、この現在時刻吸着モードが設定された状態で行為ＣＯＡが入力操作されると、操作された行為ＣＯＡがすべて現在時刻の位置に入力される。
【００８８】
このように、電子カルテ作成画面においてＣＯＡが入力されると、入力されたＣＯＡの自己アクト論理、リンケージアクト論理に基づいて既に入力されているＣＯＡとの関係がチェックされ必要に応じて更新された後（Ｓ６）、記憶装置２２に記憶されるとともに、ネットワーク３０、通信部１３、処理部１５を介してＣＯＡ情報記憶装置１１に記憶される（Ｓ７）。
【００８９】
以上の本実施形態の電子カルテ表示装置によれば、簡易な操作により所望の治療情報を電子カルテに入力および変更して表示することができ、さらに入力された診療内容を視覚的に捉えることができるように表示することができる。
【００９０】
また、本実施形態においては、プロジェクト管理情報生成装置の一例として電子カルテ表示装置について説明したがこれには限定されず、他のプロジェクト管理情報、例えば工場において製造工程を管理するプロジェクト管理情報などを表示させる場合に適用してもよい。
【００９１】
また、本実施形態による電子カルテ情報表示装置の処理部の機能構成をプログラム化してコンピュータに組み込むことにより、当該コンピュータを電子カルテ表示装置として機能させる電子カルテ情報表示プログラムを構築することも可能である。
【図面の簡単な説明】
【００９２】
【図１】本発明の一実施形態による電子カルテ情報生成装置としての電子カルテ情報表示装置を利用した電子カルテ管理システムの構成を示すブロック図である。
【図２】本発明の一実施形態による電子カルテ情報生成装置としての電子カルテ情報表示装置で利用されるＣＯＡの構造を示す説明図である。
【図３】本発明の一実施形態による電子カルテ情報生成装置としての電子カルテ情報表示装置で表示される時間軸上におけるＣＯＡの情報の位置を示す説明図である。
【図４】本発明の一実施形態による電子カルテ情報生成装置としての電子カルテ情報表示装置の動作を示すフローチャートである。
【図５】本発明の一実施形態による電子カルテ情報生成装置としての電子カルテ情報表示装置においてシンボリックモードで時間軸上に表示されるＣＯＡの一例を示す表示図である。
【図６】本発明の一実施形態による電子カルテ情報生成装置としての電子カルテ情報表示装置においてシンボリックモードで時間軸上に表示されるＣＯＡの他の一例を示す表示図である。
【図７】本発明の一実施形態による電子カルテ情報生成装置としての電子カルテ情報表示装置においてバリューモードで時間軸上に表示されるＣＯＡの一例を示す表示図である。
【図８】本発明の一実施形態による電子カルテ情報生成装置としての電子カルテ情報表示装置においてステータスモードで時間軸上に表示されるＣＯＡの一例を示す表示図である。
【図９】本発明の一実施形態による電子カルテ情報生成装置としての電子カルテ情報表示装置において積分モードで時間軸上に表示されるＣＯＡの一例を示す表示図である。
【図１０】本発明の一実施形態による電子カルテ情報生成装置としての電子カルテ情報表示装置において微分モードで時間軸上に表示されるＣＯＡの一例を示す表示図である。
【図１１】本発明の一実施形態による電子カルテ情報生成装置としての電子カルテ情報表示装置において時間軸上に表示される、（ａ）行為ＣＯＡ、（ｂ）上限値、（ｃ）平均値、（ｄ）下限値の一例を示す表示図である。
【図１２】（ａ）は、本発明の一実施形態による電子カルテ情報生成装置としての電子カルテ情報表示装置において時間軸上に表示される、図１１（ａ）〜（ｄ）を重ねた状態を示す表示図であり、（ｂ）は、（ａ）の拡大図である。
【図１３】本発明の一実施形態による電子カルテ情報生成装置としての電子カルテ情報表示装置において時間軸上に表示される、（ａ）行為ＣＯＡ(1)、（ｂ）行為ＣＯＡ(2)、（ｃ）行為ＣＯＡ(3)、（ｄ）行為ＣＯＡ(4)の一例を示す表示図である。
【図１４】（ａ）は、本発明の一実施形態による電子カルテ情報生成装置としての電子カルテ情報表示装置において時間軸上に表示される、図１３（ａ）〜（ｄ）を重ねた状態を示す表示図であり、（ｂ）は、（ａ）の拡大図である。
【図１５】本発明の一実施形態による電子カルテ情報生成装置としての電子カルテ情報表示装置において指定されたタイトルＣＯＡが有する属性情報が表示された状態を示す画面構成図である。
【図１６】本発明の一実施形態による電子カルテ情報生成装置としての電子カルテ情報表示装置において、（ａ）時間軸上の範囲を選択したときの状態、（ｂ）選択された範囲に行為ＣＯＡが入力されたときの状態を示す画面構成図である。
【図１７】本発明の一実施形態による電子カルテ情報生成装置としての電子カルテ情報表示装置において、（ａ）時間軸上の位置を選択したときの状態、（ｂ）選択された位置に行為ＣＯＡが入力されたときの状態を示す画面構成図である。
【図１８】本発明の一実施形態による電子カルテ情報生成装置としての電子カルテ情報表示装置において、（ａ）複数の時間上の範囲を選択したときの状態、（ｂ）選択された複数の時間軸上の範囲に行為ＣＯＡが入力されたときの状態を示す画面構成図である。
【符号の説明】
【００９３】
１…電子カルテ管理システム
１０…電子カルテ管理センター装置
１１…ＣＯＡ情報記憶装置
１２…電子カルテ記録装置
１３…通信部
１４…通信部
１５…処理部
１６…処理部
２０…電子カルテ情報表示装置
２１…入力装置
２２…記憶装置
２３…処理部
２４…通信部
２５…表示装置
２６…仮記憶装置
３０…ネットワーク
５１…シンボル
５２、６１、６２、７３、８１、９１〜９４…ＣＯＡ
７２…不在状態を示す点線の下線
６３…ゼロ値マーク
１００…アクト情報層
１１０…自己アクト情報
１１１…自己アクト特性
１１２…自己アクト論理
１２０…リンケージアクト情報
１２１…リンケージアクト特性
１２２…リンケージアクト論理
２００…アクト動作層
３００…出力層
４００…管理層
【図１】
0005106352.tif 000002
【図２】
0005106352.tif 000003
【図３】
0005106352.tif 000004
【図４】
0005106352.tif 000005
【図５】
0005106352.tif 000006
【図６】
0005106352.tif 000007
【図７】
0005106352.tif 000008
【図８】
0005106352.tif 000009
【図９】
0005106352.tif 000010
【図１０】
0005106352.tif 000011
【図１１】
0005106352.tif 000012
【図１２】
0005106352.tif 000013
【図１３】
0005106352.tif 000014
【図１４】
0005106352.tif 000015
【図１５】
0005106352.tif 000016
【図１６】
0005106352.tif 000017
【図１７】
0005106352.tif 000018
【図１８】
0005106352.tif 000019